(57)【要約】【課題】操作キーの上面が繰り返し押されても、操作キー上面の図形が削れたり、剥がれたりすることを低減することができる操作キー、及びこれを用いた操作装置を提供する。【解決手段】操作キー１０Ｊであって、操作キー１０Ｊの上面には、凹部２０１が形成されており、凹部２０１は、底面２０３と壁面２０２とを有し、底面２０３には、図形２０４が塗料４００で描かれており、壁面２０２の少なくとも一部には図形２０４が外接する。【選択図】図３Ａ
2014229598.tif 000002
【特許請求の範囲】
【請求項１】
操作キーであって、
前記操作キーの上面には、凹部が形成されており、
前記凹部は、底面と壁面とを有し、
前記底面には、図形が塗料で描かれており、
前記壁面の少なくとも一部には前記図形が外接する
操作キー。
【請求項２】
前記底面は四角形状である
請求項１に記載の操作キー。
【請求項３】
前記図形は文字を表している
請求項１又は２に記載の操作キー。
【請求項４】
前記底面には、前記図形の形に対応した溝部が形成されており、
前記溝部には前記塗料が流れ込んでいる
請求項１〜３のいずれか１項に記載の操作キー。
【請求項５】
前記溝部は、当該溝部の断面が、角部が下向きの三角形状である
請求項４に記載の操作キー。
【請求項６】
前記溝部は、当該溝部の断面が、逆台形状である
請求項４に記載の操作キー。
【請求項７】
前記溝部は、当該溝部の断面が、四角形状である
請求項４に記載の操作キー。
【請求項８】
前記溝部は、当該溝部の断面が、下向きの曲面状である
請求項４に記載の操作キー。
【請求項９】
前記壁面の前記底面からの高さと、前記塗料の前記底面からの高さとが等しい
請求項１〜８のいずれか１項に記載の操作キー。
【請求項１０】
上層部材と、前記上層部材とは色が異なる下層部材とが積層され、
前記上層部材には、図形の形に孔部が形成されており、
前記下層部材には、前記孔部の直下に凹部が形成されている
操作キー。
【請求項１１】
前記凹部は、当該凹部の断面が、逆台形状である
請求項１０に記載の操作キー。
【請求項１２】
前記凹部は、当該凹部の断面が、逆三角形状である
請求項１０に記載の操作キー。
【請求項１３】
前記凹部は、当該凹部の断面が、下向きの曲面状である
請求項１０に記載の操作キー。
【請求項１４】
前記上層部材の前記孔部は、前記下層部材に向けて先細り形状とされている
請求項１０に記載の操作キー。
【請求項１５】
前記孔部は、テーパー状とされている
請求項１０〜１４のいずれか１項に記載の操作キー。
【請求項１６】
請求項１〜１５のいずれか１項に記載の操作キーを複数備え、
前記各操作キーには、予め機能が割り当てられており、
前記各操作キーが操作されたときには、前記操作キーに割り当てられた機能を表す信号を出力する
操作装置。
【発明の詳細な説明】
【技術分野】
【０００１】
本発明は、操作キー及びこれを用いた操作装置に関する。
【背景技術】
【０００２】
従来、リモコン装置には、上面に文字が描かれた複数の操作キーが設けられている（例えば、特許文献１参照）。
【０００３】
例えば、操作キーの上面には、操作キーに割り当てられた機能を表す文字が描かれている。ユーザが操作キーを操作したとき、当該操作キーに割り当てられた機能を表す信号が、本体装置に出力され、本体装置は、この信号に基づいた処理を行う。
【先行技術文献】
【特許文献】
【０００４】
【特許文献１】特開２０１３−５０２６６号公報
【発明の概要】
【発明が解決しようとする課題】
【０００５】
ところが、操作キーはユーザが当該操作キーの上面から下方へ押すようにして操作しているため、操作キーをユーザが繰り返し操作すると、操作キーの上面に描かれている図形が削れたり、剥がれたりしやすい。このように、操作キー上面の図形が削れたり、剥がれたりすると、ユーザは、操作キーを見たときに、当該操作キーにどのような機能が割り当てられているかが判りにくい。
【０００６】
本発明は、上述の課題を解決するためになされたものであり、操作キーの上面が繰り返し押されても、操作キー上面の図形が削れたり、剥がれたりすることを低減することができる操作キー、及びこれを用いた操作装置を提供することを目的とする。
【課題を解決するための手段】
【０００７】
上記目的を達成するために、本発明の一態様に係る操作キーは、操作キーであって、前記操作キーの上面には、凹部が形成されており、前記凹部は、底面と壁面とを有し、前記底面には、図形が塗料で描かれており、前記壁面の少なくとも一部には前記図形が外接する。
【０００８】
この構成によると、操作キーの上面には凹部が形成されており、凹部の底面には図形が塗料で描かれており、凹部の壁面の少なくとも一部には図形が外接する。
【０００９】
これにより、操作キーの上面をユーザが押したとき、指が凹部の壁面下方に届きにくいし、仮に届いたとしても、図形と指先との間の接触面の面積を小さくすることができるので、凹部の底面の図形が削れたり剥がれたりすることを低減することができる。
【００１０】
例えば、前記底面は四角形状であってもよい。
【００１１】
この構成によると、凹部の底面は四角形状であるので、図形を凹部の壁面に外接しやすくすることができる。
【００１２】
また、前記図形は文字を表していてもよい。
【００１３】
この構成によると、図形は文字を表しているので、ユーザは、操作キーにどのような機能が割り当てられているかが判る。
【００１４】
また、前記底面には、前記図形の形に対応した溝部が形成されており、前記溝部には前記塗料が流れ込んでいてもよい。
【００１５】
この構成によると、底面には図形の形に対応した溝部が形成されており、溝部には塗料が流れ込んでいるので、たとえ、塗料の表面が削れたり剥がれたりしても、溝部内部には塗料が流れ込んでいるので、操作キー上面の図形の視認性に影響を与えにくくすることができる。
【００１６】
例えば、前記溝部は、当該溝部の断面が、角部が下向きの三角形状であってもよい。
【００１７】
この構成によると、溝部は、その断面が、角部が下向きの三角形状であるため、ユーザの指が溝部の底には届きにくい。よって、溝部の底の塗料が削れたり剥がれたりすることを低減することができるので、操作キー上面の図形の視認性に影響を与えにくくすることができる。
【００１８】
或いは、前記溝部は、当該溝部の断面が、逆台形状であってもよい。
【００１９】
この構成によると、溝部は、その断面が、逆台形状であるので、ユーザの指が溝部の下方に届きにくい。よって、溝部の底に溜まった塗料が削れたり剥がれたりすることを低減することができるので、操作キー上面の図形の視認性に影響を与えにくくすることができる。
【００２０】
或いは、前記溝部は、当該溝部の断面が、四角形状であってもよい。
【００２１】
この構成によると、溝部は、その断面が、四角形状であるので、溝部の形成時に用いる鋳型を容易に作成することができる。
【００２２】
或いは、前記溝部は、当該溝部の断面が、下向きの曲面状であってもよい。
【００２３】
この構成によると、溝部は、その断面が、下向きの曲面状であるので、溝部の底部に指先が届きにくい。そのため、溝部の底に溜まった塗料が削れたり剥がれたりすることを低減することができるので、操作キー上面の図形の視認性に影響を与えにくくすることができる。
【００２４】
また、前記壁面の前記底面からの高さと、前記塗料の前記底面からの高さとが等しくてもよい。
【００２５】
この構成によると、壁面の底面からの高さと、塗料の底面からの高さとが等しいので、図形が描かれるくぼみの深さが小さくなる。その結果、操作キーの上面を押す際の違和感を緩和させることができる。
【００２６】
また、本発明の他の態様に係る操作キーは、上層部材と、前記上層部材とは色が異なる下層部材とが積層され、前記上層部材には、図形の形に孔部が形成されており、前記下層部材には、前記孔部の直下に凹部が形成されている。
【００２７】
この構成によると、図形を、上層部材の孔部とその直下の凹部とで形成しているので、塗料のように図形が摩擦などにより削れることがないので、図形を塗料で描く場合よりも、図形の形が崩れにくい。よって、操作キー上面の図形の視認性に、より影響を与えにくくすることができる。
【００２８】
例えば、前記凹部は、当該凹部の断面が、逆台形状であってもよい。
【００２９】
この構成によると、下層部材の凹部は、その断面が逆台形状であるので、凹部の底にまで指先が届きにくい。よって、凹部の形が崩れにくくなるので、操作キー上面の図形の視認性に影響を与えにくくすることができる。
【００３０】
或いは、前記凹部は、当該凹部の断面が、逆三角形状であってもよい。
【００３１】
この構成によると、下層部材の凹部は、その断面が逆三角形状であるので、凹部の底にまで指先が届きにくい。よって、先述と同様に、凹部の形が崩れにくくなるので、操作キー上面の図形の視認性に影響を与えにくくすることができる。
【００３２】
或いは、前記凹部は、当該凹部の断面が、下向きの曲面状であってもよい。
【００３３】
この構成によると、下層部材の凹部は、その断面が、下向きの曲面状であるので、凹部の底にまで指先が届きにくい。よって、先述と同様に、凹部の形が崩れにくくなるので、操作キー上面の図形の視認性に影響を与えにくくすることができる。
【００３４】
或いは、前記上層部材の前記孔部は、前記下層部材に向けて先細り形状とされていてもよい。
【００３５】
この構成によると、上層部材の孔部は、下層部材に向けて先細り形状とされているので、孔部の底のほうが指先によって削れにくい。よって、操作キー上面の図形の視認性に影響を与えにくくすることができる。
【００３６】
また、前記孔部は、テーパー状とされていてもよい。
【００３７】
上層部材の孔部はテーパー状とされているので、操作キー上面の図形を、上方からだけではなく、斜め上方向からも視認することができるので、当該操作キーを備えた操作装置の使い勝手を向上させることができる。
【００３８】
また、本発明の他の態様に係る操作装置は、請求項１〜１５のいずれか１項に記載の操作キーを複数備え、前記各操作キーには、予め機能が割り当てられており、前記各操作キーが操作されたときには、前記操作キーに割り当てられた機能を表す信号を出力する。
【００３９】
この構成によると、先述の操作キーを備えるので、先述の効果を奏する操作装置を提供することができる。  
【発明の効果】
【００４０】
本発明によると、操作キーの上面が繰り返し押されても、操作キー上面の図形が削れたり、剥がれたりすることを低減することができる。
【図面の簡単な説明】
【００４１】
【図１】本発明の実施の形態１に係る操作装置の外観の一例を示した正面図である。
【図２】図１の操作装置の使用例を示した図である。
【図３Ａ】数字キーの外観の一例を示した斜視図である。
【図３Ｂ】図３ＡのＡ−Ａ線断面図である。
【図４Ａ】本発明の実施の形態２に係る操作キーの構成の一例を示した断面図である。
【図４Ｂ】本発明の実施の形態２に係る操作キーの構成の一例を示した断面図である。
【図４Ｃ】本発明の実施の形態２に係る操作キーの構成の一例を示した断面図である。
【図４Ｄ】本発明の実施の形態２に係る操作キーの構成の一例を示した断面図である。
【図５】本発明の実施の形態３に係る操作キーの構成の一例を示した断面図である。
【図６Ａ】実施の形態４に係る操作キーの外観の一例を示した斜視図である。
【図６Ｂ】図６ＡのＢ−Ｂ線断面図である。
【図７】実施の形態４に係る数字キー１０Ｊの製造方法について説明するための図である。
【図８Ａ】実施の形態５に係る操作キーの構成の一例を示した断面図である。
【図８Ｂ】実施の形態５に係る操作キーの構成の一例を示した断面図である。
【図９】実施の形態６に係る操作キーの構成の一例を示した断面図である。
【図１０】実施の形態７に係る操作キーの構成の一例を示した断面図である。
【図１１】実施の形態７に係る数字キーの製造方法について説明するための図である。
【発明を実施するための形態】
【００４２】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４３】
（実施の形態１）
＜操作装置の構成＞
図１は、本発明の実施の形態１に係る操作装置の外観の一例を示した正面図である。図２は、図１の操作装置の使用例を示した図である。
【００４４】
この操作装置１は、ＤＶＤプレイヤー２を遠隔操作するためのＤＶＤリモコンである。なお、本明細書では、操作装置１としてＤＶＤリモコンを例示しているが、本発明はこの例には限られず、テレビジョン３のリモコンなど、装置を無線や赤外線によって遠隔操作するコントローラに適用される。
【００４５】
ＤＶＤプレイヤー２は、トレイ５内に収納されたＤＶＤを再生するための装置であり、ケーブル４を通じて、テレビジョン３に接続されている。
【００４６】
ＤＶＤプレイヤー２は、収納されたＤＶＤから映像信号及び音声信号を取り出し、ケーブル４を通じて、テレビジョン３に送信する。テレビジョン３は、ＤＶＤプレイヤー２から、音声信号及び映像信号を受信して、これらの信号に基づいて、映像及び音声を出力する。
【００４７】
ＤＶＤリモコン１は、各種の機能が割り当てられた操作キーを有しており、操作キーが操作されたとき、当該操作キーに割り当てられた機能を表す情報を、無線信号や赤外線信号の形でＤＶＤプレイヤー２に出力する。
【００４８】
以下、操作装置１に設けられた操作キーについて説明する。なお、本実施の形態１に係る数字キー１０Ｊは、長尺方向が横方向の直方体形状であるが、これには限られず、立方体や、四角錐台など、上面に図形が描けるような形状であればよい。
【００４９】
また、本発明は、操作キーの上面に図形が描かれた操作キーである図形描画キー及びこのような図形描画キーを有する操作装置に関する発明であるので、図形描画キーに関する説明のみ行う。
【００５０】
したがって、上面に図形が描かれていない操作キー（本実施の形態１においては、電源キー、表示キー、アングルキー、音声キー、字幕キー、リピートキー、サーチキー、クリアキー、“青”キー、“赤”キー、“緑”キー、“黄”キー、トップメニューキー、ポップアップ／メニューキー、セットアップキー、及び、モードキー）については、図示だけして説明を省略する。
【００５１】
操作装置１は、図形描画キーとして、数字キー１０Ａ〜１０Ｊを備える。これら数字キー１０Ａ〜１０Ｊの各々には、その上面に図形として数字が描かれている。数字キー１０Ａ〜１０Ｊの各々が操作されたとき、操作された数字キーの上面に描かれた数字を表す情報が、ＤＶＤプレイヤー２に出力される。
【００５２】
また、操作装置１は、図形描画キーとして、図形として上矢印が描かれた上カーソルキー２０Ａ、図形として左矢印が描かれた左カーソルキー２０Ｂ、図形として下矢印が描かれた下カーソルキー２０Ｃ、及び、図形として右矢印が描かれた右カーソルキーを備える。
【００５３】
カーソルキー２０Ａ〜２０Ｄの各々が操作されたとき、それぞれ、上を表す情報、左を表す情報、下を表す情報、右を表す情報が、ＤＶＤプレイヤー２に出力される。
【００５４】
さらに、操作装置１は、図形描画キーとして、決定キー２０Ｅを備える。決定キー２０Ｅには、図形として文字である“決定”が描かれている。決定キー２０Ｅが操作されたとき、決定を表す情報がＤＶＤプレイヤー２に送信される。
【００５５】
さらに、操作装置１は、図形描画キーとして、戻るキー３０を備える。戻るキー３０には、図形として文字である“戻る”が描かれている。戻るキー３０が操作されたとき、戻ることを表す情報がＤＶＤプレイヤー２に送信される。
【００５６】
さらに、操作装置１は、図形描画キーとして、再生キー４０Ａ、早戻しキー４０Ｂ、早送りキー４０Ｃ、停止キー４０Ｄ、一定の区切り（例えば、１チャプター）での早戻しキー４０Ｅ、一定の区切り（例えば、１チャプター）での早送りキー４０Ｆ、及び、一時停止キー４０Ｇを備える。これらのキーの上面にも、図形が描かれている。
【００５７】
再生キー４０が操作されたとき、再生を表す情報がＤＶＤプレイヤー２に送信される。早戻しキー４０Ｂが操作されたとき、早戻しを表す情報がＤＶＤプレイヤー２に送信される。早送りキー４０Ｃが操作されたとき、早送りを表す情報がＤＶＤプレイヤー２に送信される。停止キー４０Ｄが操作されたとき、停止を表す情報がＤＶＤプレイヤー２に送信される。早戻しキー４０Ｅが操作されたとき、早送りキー４０Ｆが操作されたときは、それぞれ、早戻し、早送りを表す情報が出力される。一時停止キー４０Ｇが操作されたとき、一時停止を表す情報がＤＶＤプレイヤー２に出力される。
【００５８】
さらに、操作装置１は、図形描画キーとして、トレイ開閉キー５０を備える。トレイ開閉キー５０が操作されたとき、トレイ５（図２参照）を開くことを指示するための情報、或いは、トレイ５（図２参照）を閉じることを指示するための情報が、ＤＶＤプレイヤー２に出力される。
【００５９】
＜操作キーの構成＞
以下、図形描画キーとして、数字キー１０Ｊの構成について、図３Ａ及び図３Ｂを用いて説明する。図３Ａは、数字キー１０Ｊの外観の一例を示した斜視図である。図３Ｂは、図３ＡのＡ−Ａ線断面図である。なお、数字キー１０Ｊ以外の他の図形描画キーについては、数字キー１０Ｊと同様の構成であるため、説明を省略する。
【００６０】
数字キー１０Ｊは、その他の図形描画キーを含め、長尺方向の横方向の直方体形状の本体部２００を有する。
【００６１】
本体部２００の上面には、四角形状の凹部２０１が設けられている。凹部２０１は、４つの壁面２０２と、底面２０３とを有する。底面２０３には、図形２０４として“０”が描かれている。この図形２０４は、当該図形２０４に４つの壁面２０２が接するように、塗料４００によって描かれている。なお、本実施の形態では、４つの壁面２０２の全てが図形２０４に接しているが、本発明ではこの例には限られず、少なくとも１つの壁面２０２が図形２０４に外接していてもよい。
【００６２】
＜効果＞
この構成によると、数字キー１０Ｊの上面には、凹部２０１が形成されており、凹部２０１は、底面２０３と壁面２０２とを有し、底面２０３には、図形２０４が塗料４００で描かれており、壁面２０２は図形２０４に外接する。
【００６３】
これにより、図形２０４は、凹部２０１の内部において、４つの壁面２０２に接した状態となる。
【００６４】
そのため、数字キー１０Ｊの上面をユーザが押したとき、指が凹部２０１の壁面２０２下方に届きにくいので、図形２０４が削れたり剥がれたりすることを低減することができる。  また、数字キー１０Ｊ上面の図形は文字“０”を表しているので、ユーザは、数字キー１０Ｊには、文字“０”が割り当てられていることが判る。
【００６５】
（実施の形態２）
＜操作キーの構成＞
図４Ａ〜図４Ｄは、本発明の実施の形態２に係る操作キーの構成の一例を示した断面図である。
【００６６】
図４Ａ〜図４Ｄにおける数字キー１０Ｊ（１）〜１０Ｊ（４）の各々は、図形２０４の直下に溝部２０５を有する点で、実施の形態１における数字キー１０Ｊとは異なっている。この溝部２０５は、図形２０４を描いた塗料４００が流れ込んで、その後、乾いた状態とされている。
【００６７】
図４Ａにおける数字キー１０Ｊ（１）では、溝部２０５は、その断面が、０度を超え９０度未満の角部が下向きの三角形状である。なお、図４Ａでは、溝部２０５の断面が、鋭角が下向きの三角形状とされているが、本発明ではこの例には限られず、鈍角が下向きの三角形状とされていてもよい。
【００６８】
図４Ｂにおける数字キー１０Ｊ（２）では、溝部２０５は、断面が逆台形状である。図４Ｃにおける数字キー１０Ｊ（３）では、溝部２０５は、断面が四角形状である。図４Ｄにおける数字キー１０Ｊ（４）では、溝部２０５は、断面が、円弧が下向きの半円状である。なお、図４Ｄでは、溝部２０５の断面は、円弧が下向きの半円状とされているが、本発明ではこの例には限られず、下向きの曲面状とされていてもよい。
【００６９】
＜効果＞
この構成によると、底面２０３には図形２０４の形に対応した溝部２０５が形成されており、溝部２０５には塗料４００が流れ込んでいるので、たとえ、底面２０３上の図形をなす塗料４００の表面が削れたり剥がれたりしても、数字キー１０Ｊ（１）上面の図形の視認性に影響を与えにくくすることができる。
【００７０】
特に、図４Ａの構成によると、溝部２０５は、その断面が、角部が下向きの三角形状であるため、ユーザの指が溝部２０５の底には届きにくい。よって、溝部２０５の底の塗料４００が削れたり剥がれたりすることを低減することができるので、数字キー１０Ｊ（２）上面の図形の視認性に影響を与えにくくすることができる。
【００７１】
また、図４Ｂの構成によると、溝部２０５は、その断面が、逆台形状であるので、ユーザの指が溝部２０５の下方に届きにくい。よって、溝部２０５の底に溜まった塗料４００が削れたり剥がれたりすることを低減することができるので、数字キー１０Ｊ（３）上面の図形の視認性に影響を与えにくくすることができる。
【００７２】
さらに、図４Ｃの構成によると、溝部２０５は、その断面が、四角形状であるので、溝部２０５の形成時に用いる鋳型を容易に作成することができる。
【００７３】
さらに、図４Ｄの構成によると、溝部２０５は、その断面が、円弧が下向きの半円状であるので、溝部２０５の底部に指先が届きにくい。そのため、溝部２０５の底に溜まった塗料４００が削れたり剥がれたりすることを低減することができるので、数字キー１０Ｊ（４）上面の図形の視認性に影響を与えにくくすることができる。
【００７４】
（実施の形態３）
図５は、本発明の実施の形態３に係る操作キーの構成の一例を示した断面図である。この数字キー１０Ｊ（５）では、壁面２０２の底面２０３からの高さを、図形２０４を描くために塗った塗料４００の底面２０３からの高さと同じにしてある。
【００７５】
これにより、図形２０４が描かれるくぼみの深さが小さくなる。その結果、数字キー１０Ｊ（５）の上面を押す際の違和感を緩和させることができる。
【００７６】
また、断面が四角形状の溝部２０５が形成され、溝部２０５にも塗料４００が入り込んでいるので、図形２０４の剥がれを効果的に抑制することができる。なお、実施の形態３において、溝部２０５の構成は、図５に示したような、断面四角形状だけではなく、断面三角形状（図４Ａ参照）、断面逆台形形状（図４Ｂ参照）、断面曲面状形状（図４Ｄ参照）であってもよい。
【００７７】
（実施の形態４）
＜操作キーの構成＞
図６Ａは、実施の形態４に係る操作キーの外観の一例を示した斜視図である。図６Ｂは、図６ＡのＢ−Ｂ線断面図である。なお、図６Ａ及び図６Ｂでは、数字キー１０Ｊの構成を示している。数字キー１０Ｊ以外の他の図形描画キーについては、数字キー１０Ｊと同様の構成であるため、説明を省略する。
【００７８】
この数字キー１０Ｊでは、本体部２００は、上層部材２００Ａと、上層部材２００Ａとは色が異なる下層部材２００Ｂとを積層させて構成している。尚、図６Ａ及び図６Ｂでは、上層部材２００Ａと下層部材２００Ｂとの間の色の違いを、ハッチングの向きの違いによって表している。
【００７９】
上層部材２００Ａには、図形“０”の形に孔部２０６が構成されており、下層部材２００Ｂには、孔部２０６の直下に凹部２０７が形成されている。これにより、図形“０”が、孔部２０６とその直下の凹部２０７とによって形成される。また、上層部材２００Ａと凹部２０７の色が異なるので、数字キー１０Ｊを上方あるいは、斜め上から見たときに、第１部材２００Ａの上面において、第１部材２００の色とは異なる色の図形“０”が見える。
【００８０】
＜操作キーの製造方法＞
図７は、実施の形態４に係る数字キー１０Ｊの製造方法について説明するための図である。数字キー１０Ｊは、以下の工程を得て製造される。
【００８１】
すなわち、長尺方向が横方向で、短尺方向が縦方向の空間３０２を有する鋳型３００をまず用意する。この鋳型３００の底面３０３には、上層部材２００Ａの高さよりも大きな高さを有する凸部３０１が、図形の形（ここでは“０”）をなすように形成されている。
【００８２】
このような鋳型３００の空間３０２に、まず、上層部材２００Ａとなる樹脂を溶融させたものを流し込む。そして、当該樹脂が固まり次第、空間３０２に下層部材２００Ｂとなる樹脂を溶融させたものを流し込む。当該樹脂が固まれば、各々、樹脂が固まったものを鋳型３００から取り出す。すると、実施の形態４に係る数字キー１０Ｊが出来上がる。
【００８３】
＜効果＞
この構成によると、図形を、上層部材の孔部２０６とその直下の凹部２０７とで形成しているので、図形を塗料４００で描く場合よりも、図形の形が崩れにくい。よって、数字キー１０Ｊ上面の図形の視認性に、より影響を与えにくくすることができる。
【００８４】
また、上述のように、鋳型３００を用いて、第１部材２００Ａ及び第２部材２００Ｂが積層された数字キー１０Ｊが製造できるので、数字キー１０Ｊを安価かつ容易に製造することができる。
【００８５】
（実施の形態５）
＜操作キーの構成＞
図８Ａ及び図８Ｂは、実施の形態５に係る操作キーの構成の一例を示した断面図である。なお、図８Ａ及び図８Ｂは、図６ＡにおけるＢ−Ｂ線断面図である。
【００８６】
図８Ａでは、凹部２０７の断面が、逆三角形状であり、図８Ｂでは、凹部２０７の断面が、円弧が下向きの半円状である。なお、図８Ｂでは、凹部２０７の断面を、円弧が下向きの半円状としているが、本発明ではこの例には限られず、凹部２０７の断面が、下向きの曲面状であってもよい。
【００８７】
また、図８Ａに示す凹部２０７は、鋳型３００の凸部３０１Ａの先端を三角形状とすることにより実現できる。また、図８Ｂに示す凹部２０７は、凸部３０１Ａの先端を円弧状とすることにより実現できる。
【００８８】
＜効果＞
この構成によると、図８Ａにおける数字キー１０Ｊでは、下層部材２００Ｂの凹部２０７は、その断面が逆三角形状であるので、凹部２０７の底にまで指先が届きにくい。よって、凹部２０７の形が崩れにくくなるので、数字キー１０Ｊ上面の図形の視認性に影響を与えにくくすることができる。
【００８９】
また、図８Ｂにおける数字キー１０Ｊでは、下層部材２００Ｂの凹部２０７は、その断面が、円弧が下向きの半円状であるので、凹部２０７の底にまで指先が届きにくい。よって、先述と同様に、凹部２０７の形が崩れにくくなるので、数字キー１０Ｊ上面の図形の視認性に影響を与えにくくすることができる。
【００９０】
（実施の形態６）
＜操作キーの構成＞
図９は、実施の形態６に係る操作キーの構成の一例を示した断面図である。なお、図９は、図６ＡにおけるＢ−Ｂ線断面図である。
【００９１】
この構成によると、上層部材２００Ａの孔部２０６は、下層部材２００Ｂに向けて先細り形状とされており、下層部材２００Ｂの凹部は逆台形状とされている。なお、この構成は、鋳型３００の凸部３０１Ａの先端を、断面が台形状となるように形成することにより実現できる。
【００９２】
＜効果＞
この構成によると、上層部材２００Ａの孔部２０６が、下層部材２００Ｂに向けて先細り形状とされており、下層部材２００Ｂの凹部は逆台形状とされている。そのため、孔部２０６の奥深く、或いは、凹部２０７の奥深くにまで指先が届きにくいので、孔部２０６及び凹部２０７が崩れにくい。
【００９３】
その結果、孔部２０６及び凹部２０７で表される図形の形が崩れにくくなるので、数字キー１０Ｊ上面の図形の視認性に影響を与えにくくすることができる。
【００９４】
（実施の形態７）
＜操作キーの構成＞
図１０は、実施の形態７に係る操作キーの構成の一例を示した断面図である。なお、図１０は、図６ＡにおけるＢ−Ｂ線断面図である。
【００９５】
この構成によると、下層部材２００Ｂの凹部２０７は断面が四角形状ではあるが、上層部材２００Ａの孔部２０６にテーパー面２０６Ａが設けられている。テーパー面２０６Ａは、図形の視認性が向上するように、大きめのテーパー角がつけられている。
【００９６】
＜操作キーの製造方法＞
図１１は、実施の形態７に係る数字キー１０Ｊの製造方法について説明するための図である。実施の形態７に係る数字キー１０Ｊは、以下の工程を得て製造される。
【００９７】
すなわち、長尺方向が横方向で、短尺方向が縦方向の空間３０２を有する鋳型３００をまず用意する。この鋳型３００の底面３０３には、上層部材２００Ａの高さよりも大きな高さを有する凸部３０１Ａが、文字の形（ここでは“０”）をなすように形成されている。
【００９８】
そして、凸部３０１Ａでは、テーパー面３０４が設けられている。
【００９９】
このような鋳型３００の空間３０２に、まず、上層部材２００Ａとなる樹脂を溶融させたものを流し込む。そして、当該樹脂が固まり次第、下層部材２００Ｂとなる樹脂を溶融させたものを空間３０２に流し込む。当該樹脂が固まれば、各々、樹脂が固まったものを鋳型３００から取り出す。すると、実施の形態７に係る数字キー１０Ｊが出来上がる。
【０１００】
＜効果＞
この構成によると、上層部材２００Ａの孔部２０６はテーパー状とされているので、数字キー１０Ｊ上面の図形を、上方からだけではなく、斜め上方向からも視認することができるので、当該数字キー１０Ｊを備えた操作装置１の使い勝手を向上させることができる。
【０１０１】
以上、本発明に係る固定構造及び液晶ディスプレイ装置について、実施の形態に基づいて説明したが、本発明は、このような実施の形態に限定されない。本発明の主旨を逸脱しない範囲で、実施の形態に対して当業者が思いつく各種変形を施して得られる形態、及び、実施の形態の構成要素を任意に組み合わせて得られる別の形態も、本発明に含まれる。
【産業上の利用可能性】
【０１０２】
本発明は、例えば、リモコンなど、操作キーを備える装置に適用できる。
【符号の説明】
【０１０３】
１  操作装置
１０Ａ〜１０Ｊ、２０Ａ〜２０Ｅ、３０、４０Ａ〜４０Ｇ、５０  操作キー
１０Ｊ  数字キー
２００  本体部
２００Ａ  上層部材
２００Ｂ  下層部材
２０１  凹部
２０２  壁面
２０３  底面
２０４  図形
２０５  溝部
２０６  孔部
２０６Ａ  テーパー面
２０７  凹部
４００  塗料
【図１】
2014229598.tif 000003
【図２】
2014229598.tif 000004
【図３Ａ】
2014229598.tif 000005
【図３Ｂ】
2014229598.tif 000006
【図４Ａ】
2014229598.tif 000007
【図４Ｂ】
2014229598.tif 000008
【図４Ｃ】
2014229598.tif 000009
【図４Ｄ】
2014229598.tif 000010
【図５】
2014229598.tif 000011
【図６Ａ】
2014229598.tif 000012
【図６Ｂ】
2014229598.tif 000013
【図７】
2014229598.tif 000014
【図８Ａ】
2014229598.tif 000015
【図８Ｂ】
2014229598.tif 000016
【図９】
2014229598.tif 000017
【図１０】
2014229598.tif 000018
【図１１】
2014229598.tif 000019